(57)【要約】【課題】この発明は、車両用乗降台を折畳み格納する時、起立する先端側フラッパーを自動的に折畳み、また使用のための繰出し時、自動的に展開起立する先端側フラッパーの格納時自動折畳み装置の提供の提供にある。【解決手段】格納時にサブ乗降台がメイン乗降台に格納される車両用乗降台において、サブ乗降台の先端側に配備される先端側フラッパーは、基部と折畳み部とから構成され、折畳み部は、基部に中間支軸により軸支されると共に、基部と折畳み部とに差し渡されたスプリングの作用により基部に対して定位置を保持して基部と一体に機能するように設けられ、前記先端側のフラッパーの折畳み部の一方側の中間支軸の軸支点よりその先端側フラッパーが起立時において下方位置の一側外方に連係レバーが突出され、メイン乗降台において前記連係レバーと対応する一方側に回動用コロを配備されてなる。【選択図】        図１
2005028922.tif 000002
【特許請求の範囲】
【請求項１】
メイン乗降台とサブ乗降台とから車両用乗降台が構成され、使用時にサブ乗降台がメイン乗降台から繰出され、格納時にサブ乗降台がメイン乗降台に格納される車両用乗降台において、サブ乗降台の先端側に配備される先端側フラッパーは、基部と折畳み部とから構成され、折畳み部は、基部に中間支軸により軸支されると共に、基部と折畳み部とに差し渡されたスプリングの作用により基部に対して定位置を保持して基部と一体に機能するように設けられ、起立する前端側フラッパーをサブ乗降台がメイン乗降台に格納されるとき、折畳み部の突部がメイン乗降台の突部と衝突し、先端側フラッパーの折畳み部を折畳み、サブ乗降台がメイン乗降台から繰り出されるとき、先端側フラッパーの折畳み部をスプリング作用により自動的に起立展開する車両用乗降台における先端側フラッパーの格納時自動折畳み装置。
【請求項２】
メイン乗降台とサブ乗降台とから車両用乗降台が構成され、使用時にサブ乗降台がメイン乗降台から繰出され、格納時にサブ乗降台がメイン乗降台に格納される車両用乗降台において、サブ乗降台の先端側に配備される先端側フラッパーは、基部と折畳み部とから構成され、折畳み部は、基部に中間支軸により軸支されると共に、基部と折畳み部とに差し渡されたスプリングの作用により基部に対して定位置を保持して基部と一体に機能するように設けられ、前記先端側のフラッパーの折畳み部の一方側の中間支軸の軸支点よりその先端側フラッパーが起立時において下方位置の一側外方に、連係レバーが突出され、メイン乗降台において前記連係レバーと対応する一方側に回動用コロを配備されてなる車両用乗降台における先端側フラッパーの格納時自動折畳み装置。
【請求項３】
メイン乗降台とサブ乗降台とから車両用乗降台が構成され、使用時にサブ乗降台がメイン乗降台から繰出され、格納時にサブ乗降台がメイン乗降台に格納される車両用乗降台において、サブ乗降台の先端側に配備される先端側フラッパーは、基部と折畳み部とから構成され、折畳み部は、基部に中間支軸により軸支されると共に、基部と折畳み部とに差し渡されたスプリングの作用により基部に対して定位置を保持して基部と一体に機能するように設けられ、先端側フラッパーの基部は、サブ乗降台の先端部の左右側板部に、先端側フラッパーの基部の下端左右部を主支軸により回転自在に枢支され、前記基部の連係部に連結する操作杆が連結され、その操作杆の前後の往復動により先端側に起伏するように構成され、前記先端側のフラッパーの折畳み部の一方側の中間支軸の軸支点よりその先端側フラッパーが起立時において下方位置の一側外方に、連係レバーが突出され、メイン乗降台において前記連係レバーと対応する一方側に回動用コロを配備されてなる車両用乗降台における先端側フラッパーの格納時自動折畳み装置。
【発明の詳細な説明】
【０００１】
【発明が属する技術分野】
この発明は、車椅子に乗車した状態で車両に乗降するために装備される車両用乗降台における先端側フラッパーの格納時自動折畳み装置に関するものである。
【０００２】
【従来の技術】
従来、この種車両用乗降台の先端側には、乗降台が路面との接面時に段差を無くすスロープ面機能と、昇降中の転落防止を図るために手動式のフラッパーが装備されている。
【０００３】
【発明が解決しようとする課題】
現在では、公共団体はもとより一般企業が所有するミニバス等の福祉車両には、動力乗降台装置が必須装備になっている。しかるに、福祉車両の増加は、屈強な介添者の人材不足を招いており、力仕事には非力の一般ボランティアにおいて簡単に操作可能なものが求められる時代になっている。
【０００４】
この発明は、かかる要請に応えようとするもので、乗降台の車両への格納時に起立する先端側フラッパーを自動的に折畳み、また使用時の繰出しを自動的に展開起立する先端側フラッパーの格納時自動折畳み装置の提供を目的になされたものである
【０００５】
【課題を解決するための手段】
メイン乗降台とサブ乗降台とから車両用乗降台が構成され、使用時にサブ乗降台がメイン乗降台から繰出され、格納時にサブ乗降台がメイン乗降台に格納される車両用乗降台において、サブ乗降台の先端側に配備される先端側フラッパーは、基部と折畳み部とから構成され、折畳み部は、基部に中間支軸により軸支されると共に、基部と折畳み部とに差し渡されたスプリングの作用により基部に対して定位置を保持して基部と一体に機能するように設けられ、起立する前端側フラッパーをサブ乗降台がメイン乗降台に格納されるとき、折畳み部の突部がメイン乗降台の突部と衝突し、先端側フラッパーの折畳み部を折畳み、サブ乗降台がメイン乗降台から繰り出されるとき、先端側フラッパーの折畳み部をスプリング作用により自動的に起立展開する車両用乗降台における先端側フラッパーの格納時自動折畳み装置。
【０００６】
メイン乗降台とサブ乗降台とから車両用乗降台が構成され、使用時にサブ乗降台がメイン乗降台から繰出され、格納時にサブ乗降台がメイン乗降台に格納される車両用乗降台において、サブ乗降台の先端側に配備される先端側フラッパーは、基部と折畳み部とから構成され、折畳み部は、基部に中間支軸により軸支されると共に、基部と折畳み部とに差し渡されたスプリングの作用により基部に対して定位置を保持して基部と一体に機能するように設けられ、前記先端側のフラッパーの折畳み部の一方側の中間支軸の軸支点よりその先端側フラッパーが起立時において下方位置の一側外方に連係レバーが突出され、メイン乗降台において前記連係レバーと対応する一方側に回動用コロを配備されてなる車両用乗降台における先端側フラッパーの格納時自動折畳み装置としてもよいものである。
【０００７】
メイン乗降台とサブ乗降台とから車両用乗降台が構成され、使用時にサブ乗降台がメイン乗降台から繰出され、格納時にサブ乗降台がメイン乗降台に格納される車両用乗降台において、サブ乗降台の先端側に配備される先端側フラッパーは、基部と折畳み部とから構成され、折畳み部は、基部に中間支軸により軸支されると共に、基部と折畳み部とに差し渡されたスプリングの作用により基部に対して定位置を保持して基部と一体に機能するように設けられ、先端側フラッパーの基部は、サブ乗降台の先端部の左右側板部に、先端側フラッパーの基部の下端左右部を主支軸により回転自在に枢支され、前記基部の連係部に連結する操作杆が連結され、その操作杆の前後の往復動により先端側に起伏するように構成され、前記先端側のフラッパーの折畳み部の一方側の中間支軸の軸支点よりその先端側フラッパーが起立時において下方位置の一側外方に連係レバーが突出され、メイン乗降台において前記連係レバーと対応する一方側に回動用コロを配備されてなる車両用乗降台における先端側フラッパーの格納時自動折畳み装置としてもよいものである。
。
【０００８】
【発明の実施の形態】
メイン乗降台とサブ乗降台とから車両用乗降台が構成され、使用時にサブ乗降台がメイン乗降台から繰出され、格納時にサブ乗降台がメイン乗降台に格納される車両用乗降台において、サブ乗降台の先端側に配備される先端側フラッパーは、基部と折畳み部とから構成され、折畳み部は、基部に中間支軸により軸支されると共に、基部と折畳み部とに差し渡されたスプリングの作用により基部に対して定位置を保持して基部と一体に機能するように設けられ、先端側フラッパーの基部は、サブ乗降台の先端部の左右側板部に、先端側フラッパーの基部の下端左右部を主支軸により回転自在に枢支され、前記基部の連係部に連結する操作杆が連結され、その操作杆の前後の往復動により先端側に起伏するように構成され、前記先端側のフラッパーの折畳み部の左側部の中間支軸の軸支点よりその先端側フラッパーが起立時において下方位置の左側外方に連係レバーが突出され、メイン乗降台において前記連係レバーと対応する左側部に回動用コロを配備されてなる車両用乗降台における先端側フラッパーの格納時自動折畳み装置。
【０００９】
【実施例】
以下、この発明の車両用乗降台における先端側フラッパーの格納時自動折畳み装置１について、実施の一例を示す図面により説明すると、車両用乗降台２は、メイン乗降台３とサブ乗降台４とから構成され、使用時に、サブ乗降台４は、メイン乗降台３から繰出される。図１に示すように、先端側フラッパー５は、基部５ａと折畳み部５ｂとから構成され、折畳み部５ｂは、基部５ａに中間支軸６ａ、６ｂにより軸支されると共に、基部５ａと折畳み部５ｂとに差し渡されたスプリング７の作用により基部５ａに対して定位置を保持し、通常は、基部５ａと一体に機能するように設けられる。先端側フラッパー５の基部５ａは、サブ乗降台４の先端部４ａの左右側板部４ａ１、４ａ２に、先端側フラッパー５の基部５ａの下端左右部５ａ１、５ａ２を主支軸８により回転自在に枢支され、前記基部５ａの連係部９に連結する操作杆１０が連結され、その操作杆１０の前後の往復動により先端側に起伏するように構成される。
【００１０】
前記先端側のフラッパー５の折畳み部５ｂの一方側である左側部５ｂ１の中間支軸６ａの軸支点よりその先端側フラッパー５が起立時において適宜下方位置の左側外方に連係レバー１１が突出され、メイン乗降台３において前記連係レバー１１と対応する左側部３ａに回動用コロ１２を支軸１３により配備されてなるものである。
【００１１】
先端側フラッパー５の基部５ａには、折畳み部５ｂをスプリング（実施例ではトーションバースプリング）７の作用により基部５ａに対して定位置を保持するため、基部５ａにストッパー部を設けていること勿論である。
【００１２】
この発明の車両用乗降台における先端側フラッパーの格納時自動折畳み装置１は、前記のように構成されるから、図１に示すように、メイン乗降台３に対してサブ乗降台４を繰出して所要長の車両用乗降台２を構成しているとき、図示しないが原動機の作用で操作杆１０を押出しているときには、前端側フラッパー５は起立している。この状態からサブ乗降台４をメイン乗降台３に格納すると、サブ乗降台４の格納直前に、先端側フラッパー５における折畳み部５ｂの連係レバー１１にメイン乗降台３の回動用コロ１２に衝突し、その進行を阻止されるから、先端側フラッパー５における折畳み部５ｂは、中間支軸６ａ、６ｂを中心に、かつ、スプリング７を巻回して回動し、図３に示すように、自動的に折畳むものである。反対にメイン乗降台３からサブ乗降台４が繰り出されると、先端側フラッパー５における折畳み部５ｂは、中間支軸６ａ、６ｂを中心に、スプリング７の戻り力により回動し、図１に示すように、自動的に展開して起立するものである。
【００１３】
ここで、簡単に車両用乗降台２の作動の概略を説明すると、図４において、Ａの矢印で示す位置では、格納函１４から車両用乗降台２が繰出され、サブ乗降台４を前記のように繰出して最終端で所要の拡張した荷台面を持つ車両用乗降台２を構成するものである。このとき、先端側フラッパー５は自動的に起立し、また、車両側フラッパー１５を起立させた状態を示すものである。また、左右サイド手摺り１６をメイン乗降台３から起立し、その起立状態に固定して使用する。車両用乗降台２を格納函１４に格納するときにおいて、その起立状態を解除してメイン乗降台３上に倒してから格納する。
【００１４】
同じく図４において、Ｂの矢印で示す位置では、リンク１７、１８を下降回動させて車両用乗降台２を路面１９に連接した後、先端側フラッパー５を操作杆１０を倒して路面１９から車両用乗降台２に車椅子等を乗り入れ、または車両用乗降台２から路面１９へ降りる状態を示すものである。
【００１５】
同じく図４において、Ｃの矢印で示す位置では、リンク１７、１８を上昇回動させて車両用乗降台２を上昇し、車両２０の床面２１に適合させた位置で停止し、車両側フラッパー１５を車両２０の床面２１に乗降が可能なように伏倒した状態を示すものである。
【００１６】
【発明の効果】
この発明の車両用乗降台における先端側フラッパーの格納時自動折畳み装置は、以上のようになるから、構造は、簡単・堅牢・安価で耐久性があり、また、安全性も確保され、しかも、スイッチ一つで先端側フラッパーには全く触れることなく、その先端側フラッパーの起伏を自動的に行えるものである。
【００１７】
よって、この発明の先端側フラッパーは、公共団体はもとより一般企業が所有するミニバス等の福祉車両の動力乗降台装置の構成および取扱いに画期的効果を奏するものである。
【図面の簡単な説明】
【図１】この発明の車両用乗降台における先端側フラッパーの格納時自動折畳み装置において、先端側フラッパーの起立状態を示す側面図である。
【図２】同じく、その起立状態を先端側から見た先端側フラッパーの正面図である。
【図３】同じく、先端側フラッパーの格納時の折畳み状態を示す側面図である。
【図４】この発明の車両用乗降台における先端側フラッパーの格納時自動折畳み装置が装備される車両用乗降台を例示する全体側面図である。
【図５】同じく、先端側フラッパーが路面に接するように倒れた状態における全体平面図である。
【符号の説明】
１  車両用乗降台における先端側フラッパーの格納時自動折畳み装置
２  車両用乗降台
３  メイン乗降台
３ａ  左側部
４  サブ乗降台
４ａ  先端部
４ａ１  左側板部
４ａ２  右側板部
５  先端側フラッパー
５ａ  基部
５ａ１  下端左部
５ａ２  下端右部
５ｂ  折畳み部
５ｂ１  左側部
６ａ  中間支軸
６ｂ  中間支軸
７  スプリング
８  主支軸
９  連係部
１０  操作杆
１１  連係レバー
１２  回動用コロ
１３  支軸
１４  格納函
１５  車両側フラッパー
１６  左右サイド手摺り
１７  リンク
１８  リンク
１９  路面
２０  車両
２１  床面
【図１】
2005028922.tif 000003
【図２】
2005028922.tif 000004
【図３】
2005028922.tif 000005
【図４】
2005028922.tif 000006
【図５】
2005028922.tif 000007